(57)【要約】【課題】夜間など周囲が暗い環境においても、自動式で且つ箱状である水栓装置の使い勝手を向上させた洗面化粧台を提供する。【解決手段】ボウル部と、光を照射する照明部と、ボウル部へ水を吐出する水栓部と、水栓部から吐出される水の流量を調整する流量調整部と、水栓部及び流量調整部のそれぞれの少なくとも一部を覆うケースと、１つ又は複数のセンサを有し、ボウル部より前方側に存在する人体を検知するとともに、ケースの下方の領域で且つ水栓部の近傍に存在する手を検知するセンサ部と、センサ部による人体の検知に応じて照明部を点灯させるとともに、センサ部による手の検知に応じて水栓部から水を吐出させる制御部と、を備え、水栓部は、ケースの下方へ水を吐出し、ケースの鉛直下方の領域は、センサ部による人体の検知に応じて点灯した照明部によって照らされることを特徴とする洗面化粧台である。【選択図】図２
2018050795.tif 000002
【特許請求の範囲】
【請求項１】
ボウル部と、
光を照射する照明部と、
前記ボウル部へ水を吐出する水栓部と、
前記水栓部から吐出される水の流量を調整する流量調整部と、
前記水栓部及び前記流量調整部のそれぞれの少なくとも一部を覆うケースと、
１つ又は複数のセンサを有し、前記ボウル部より前方側に存在する人体を検知するとともに、前記ケースの下方の領域で且つ前記水栓部の近傍に存在する手を検知するセンサ部と、
前記センサ部による人体の検知に応じて前記照明部を点灯させるとともに、前記センサ部による手の検知に応じて前記水栓部から水を吐出させる制御部と、
を備え、
前記水栓部は、前記ケースの下方へ水を吐出し、
前記ケースの鉛直下方の領域は、前記センサ部による人体の検知に応じて点灯した前記照明部によって照らされることを特徴とする洗面化粧台。
【請求項２】
前記水栓部は、前記センサ部の人体の検知に応じて点灯した前記照明部によって照らされる前記ケースの下方の領域に水を吐出することを特徴とする請求項１記載の洗面化粧台。
【請求項３】
前記流量調整部は、前記水栓部から吐出される水の流量を調整する流量調整弁と、前記流量調整弁の開弁量を調整する流量調整レバーと、を有し、
前記流量調整レバーは、少なくとも一部が、前記センサ部の人体の検知に応じて点灯した前記照明部によって照らされる前記ケースの下方の領域に設けられていることを特徴とする請求項１又は２に記載の洗面化粧台。
【請求項４】
前記センサ部は、前記ケースの前端と前記ボウル部の前端との間を通り前方に向かって斜め下方に送信される信号波を基に、前記ボウル部より前方側に存在する人体を検知することを特徴とする請求項１〜３のいずれか１つに記載の洗面化粧台。
【請求項５】
前記ケースは、上方に物品を載置可能なカウンター部と、前記カウンター部の前端部から後方に向かって下降傾斜した前方傾斜部と、を有し、
前記センサ部は、前記ケース内に設けられ、前記前方傾斜部を透過する前記信号波を基に、人体を検知することを特徴とする請求項４記載の洗面化粧台。
【請求項６】
前記ケースは、前記前方傾斜部に設けられ前記信号波を透過させる透過窓と、前記カウンター部から前記透過窓に水滴が伝うことを抑制する水滴抑制部と、を有することを特徴とする請求項５記載の洗面化粧台。
【発明の詳細な説明】
【技術分野】
【０００１】
本発明の態様は、一般的に、洗面化粧台に関する。
【背景技術】
【０００２】
水を吐出する水栓部及び水栓部から吐出する水の流量を調整する流量調整部などをケースで覆った箱状の水栓装置、及びこの水栓装置を備えた洗面化粧台が知られている（例えば、特許文献１）。水栓装置は、例えば、洗面化粧台のバックパネルなどに取り付けられる。このような洗面化粧台においては、水栓部や流量調整部などがケースで一体に覆われているため、全体的にすっきりとしてデザイン性が良い。
【０００３】
水栓部は、使用者の使い勝手を考慮すると、例えば水栓部の近傍に存在する手をセンサ部が検知にした際に水を吐出させる自動式の水栓装置であることが好ましい。しかしながら、このような自動式の水栓装置を備えた洗面化粧台では、夜間など周囲が暗い環境の場合において水栓部の近傍が視認し難くなってしまうため、自動式の水栓装置を使用するために手を水栓部の近傍の領域に位置させにくく、水栓装置の使い勝手が悪い。また、このような夜間など周囲が暗い環境では、洗面化粧台が設けられている部屋自体が暗いため、照明を点灯させるためのスイッチなども操作し難い。
【０００４】
一方で、洗面器に人体検知センサを設け、人体検知センサによる人体の検知によって洗面化粧台の上部の照明を点灯させる技術も知られている（例えば、特許文献２）。しかしながら、特許文献１のように水栓部及び流量調整部などをケースで覆った箱状の水栓装置を洗面化粧台に設けた場合においては、ケースより下方は上方からの照明の光が当たり難く、洗面化粧台の上部などに照明を設けたとしても、ケースの鉛直下方の領域は視認し難い。したがって、夜間など周囲が暗い環境の場合において、自動式の水栓装置を使用するために手をケースの下方の領域で且つ水栓部の近傍の領域に位置させにくく、依然として水栓装置の使い勝手が悪い。
【０００５】
このため、自動式で且つ箱状である水栓装置を備えた洗面化粧台では、夜間など周囲が暗い環境においても、水栓装置を使用した手洗い動作等を行いやすくし、水栓装置の使い勝手を向上させることが望まれる。
【先行技術文献】
【特許文献】
【０００６】
【特許文献１】特開２００３−１８４１３９号公報
【特許文献２】特開２００３−２４２２５号公報
【発明の概要】
【発明が解決しようとする課題】
【０００７】
本発明は、かかる課題の認識に基づいてなされたものであり、夜間など周囲が暗い環境においても、自動式で且つ箱状である水栓装置の使い勝手を向上させた洗面化粧台を提供することを目的とする。
【課題を解決するための手段】
【０００８】
第１の発明は、ボウル部と、光を照射する照明部と、前記ボウル部へ水を吐出する水栓部と、前記水栓部から吐出される水の流量を調整する流量調整部と、前記水栓部及び前記流量調整部のそれぞれの少なくとも一部を覆うケースと、１つ又は複数のセンサを有し、前記ボウル部より前方側に存在する人体を検知するとともに、前記ケースの下方の領域で且つ前記水栓部の近傍に存在する手を検知するセンサ部と、前記センサ部による人体の検知に応じて前記照明部を点灯させるとともに、前記センサ部による手の検知に応じて前記水栓部から水を吐出させる制御部と、を備え、前記水栓部は、前記ケースの下方へ水を吐出し、前記ケースの鉛直下方の領域は、前記センサ部による人体の検知に応じて点灯した前記照明部によって照らされることを特徴とする洗面化粧台である。
【０００９】
この洗面化粧台によれば、センサ部がボウル部前に来た使用者を検知することで、照明部がケースの鉛直下方の領域を照らすため、夜間など洗面化粧台が設置された空間が暗い場合であっても、使用者は照らされたケースの鉛直下方の領域へ手を差し込むことで、センサ部に手を検知させ、手洗いを行うことができる。従って、夜間など洗面化粧台が設置された空間が暗い場合であっても、自動式で且つ箱状である水栓装置の使い勝手を向上させることができる。なお、本発明において、「センサ部」は、例えば、ボウル部より前方側に存在する人体を検知するセンサ、及び、水栓部の近傍に存在する手を検知するセンサ、といった複数のセンサによって構成されていても良い。
【００１０】
第２の発明は、第１の発明において、前記水栓部は、前記センサ部の人体の検知に応じて点灯した前記照明部によって照らされる前記ケースの下方の領域に水を吐出することを特徴とする洗面化粧台である。
【００１１】
水栓部は、下方に向けてケースに設けられ、ケースの下方に水を吐出するため、夜間など周囲が暗い環境の場合に、水栓部及び水栓部から吐出された水が箱状のケースの影に隠れ、視認し難くなってしまう可能性があるが、この洗面化粧台によれば、水栓部から吐出される水も照明部の光によって照らされるため、夜間など洗面化粧台が設置された空間が暗い場合であっても、吐出されている水を視認しながら手を水に当てることができ、さらに使い勝手を向上させることができる。
【００１２】
第３の発明は、第１又は第２の発明において、前記流量調整部は、前記水栓部から吐出される水の流量を調整する流量調整弁と、前記流量調整弁の開弁量を調整する流量調整レバーと、を有し、前記流量調整レバーは、少なくとも一部が、前記センサ部の人体の検知に応じて点灯した前記照明部によって照らされる前記ケースの下方の領域に設けられていることを特徴とする洗面化粧台である。
【００１３】
この洗面化粧台によれば、流量調整弁の開弁量を調整するための流量調整レバーの少なくとも一部も照明部の光によって照らされるため、夜間など洗面化粧台が設置された空間が暗い場合であっても、吐出されている水を適宜視認しつつ、流量調整レバーを視認しながら流量の調整操作を行うことができ、さらに使い勝手を向上させることができる。
【００１４】
第４の発明は、第１〜第３のいずれか１つの発明において、前記センサ部は、前記ケースの前端と前記ボウル部の前端との間を通り前方に向かって斜め下方に送信される信号波を基に、前記ボウル部より前方側に存在する人体を検知することを特徴とする洗面化粧台である。
【００１５】
この洗面化粧台によれば、ボウル部のすぐ前方に位置する使用者のみに反応し易くすることができる。例えば、浴室の脱衣所に洗面化粧台が設置されている場合に、脱衣行為のみを行う人に反応して照明部が点灯してしまうことを抑制することができる。さらには、背の低い女性や子供などでも検知し易くなり、背の低い女性や子供などがボウル部の前方に来た場合にも、より確実に照明部を点灯させることができる。
【００１６】
第５の発明は、第４の発明において、前記ケースは、上方に物品を載置可能なカウンター部と、前記カウンター部の前端部から後方に向かって下降傾斜した前方傾斜部と、を有し、前記センサ部は、前記ケース内に設けられ、前記前方傾斜部を透過する前記信号波を基に、人体を検知することを特徴とする洗面化粧台である。
【００１７】
この洗面化粧台によれば、前方傾斜部において信号波を透過させることにより、背の低い女性や子供などをより確実に検知することができる。また、カウンター部にコップなどを載せることができるようにしつつ、コップが倒れてケースに水がかかってしまった場合などでも、前方傾斜部に沿ってケースの底面方向へ水を流すことができ、ボウル部の前方やボウル部内に水が派手に飛び散ることを抑制することができる。
【００１８】
第６の発明は、第５の発明において、前記ケースは、前記前方傾斜部に設けられ前記信号波を透過させる透過窓と、前記カウンター部から前記透過窓に水滴が伝うことを抑制する水滴抑制部と、を有することを特徴とする洗面化粧台である。
【００１９】
この洗面化粧台によれば、カウンター部に載せたコップなどが倒れてケースに水がかかった場合でも、水滴抑制部によって透過窓に水滴が伝うことを抑制することができ、センサ部の動作に不具合が発生してしまうことを抑制することができる。ボウル部より前方側に存在する人体をより確実に検知することができる。
【発明の効果】
【００２０】
本発明の態様によれば、夜間など周囲が暗い環境においても、自動式で且つ箱状である水栓装置の使い勝手を向上させた洗面化粧台が提供される。
【図面の簡単な説明】
【００２１】
【図１】第１の実施形態に係る洗面化粧台を表す模式的斜視図である。
【図２】第１の実施形態に係る水栓装置を表す模式的斜視図である。
【図３】第１の実施形態に係る水栓装置を表す模式的底面図である。
【図４】図４（ａ）及び図４（ｂ）は、第１の実施形態に係る水栓装置を表す模式的側面図である。
【図５】第１の実施形態に係る水栓装置を表す模式的ブロック図である。
【図６】第１の実施形態に係る洗面器及び水栓装置の一部を表す模式的断面図である。
【図７】図７（ａ）〜図７（ｃ）は、第１の実施形態に係る洗面化粧台を表す模式的側面図である。
【図８】第１の実施形態に係る水栓装置の変形例を表す模式的側面図である。
【図９】図９（ａ）及び図９（ｂ）は、第１の実施形態に係る洗面器及び水栓装置の変形例を表す模式的断面図である。
【図１０】第１の実施形態に係る水栓装置の変形例を表す模式的ブロック図である。
【図１１】第１の実施形態に係る洗面器及び水栓装置の変形例を表す模式的断面図である。
【図１２】第１の実施形態に係る水栓装置の変形例を表す模式的ブロック図である。
【図１３】第２の実施形態に係る洗面化粧台を表す模式的ブロック図である。
【発明を実施するための形態】
【００２２】
以下、本発明の実施の形態について図面を参照しつつ説明する。なお、各図面中、同様の構成要素には同一の符号を付して詳細な説明は適宜省略する。  
（第１の実施形態）  
図１は、第１の実施形態に係る洗面化粧台を表す模式的斜視図である。  
図１に表したように、洗面化粧台１０は、洗面器１２と、水栓装置１４と、支持台１６と、ミラーキャビネット１８と、照明装置２０と、を備える。
【００２３】
なお、本願明細書において、「上」、「下」、「右」および「左」という記載は、洗面化粧台１０の前で洗面化粧台１０を見た人を基準とした上、下、右および左をそれぞれいう。また、本願明細書においては、洗面化粧台１０から、洗面化粧台１０の前に居る人へ向かう方向を「前」方向とし、その逆方向を「後」方向とする。
【００２４】
洗面器１２は、ボウル部２２と、バックガード部２４と、を有する。ボウル部２２は、下方に向かって凹んだ凹状に形成されている。ボウル部２２は、排水口２６（図６参照）を有する。排水口２６は、ボウル部２２の底部に設けられる。排水口２６は、排水管に接続され、ボウル部２２に吐出された水を排水管に流す。ボウル部２２は、排水口２６に向かって下方へ傾斜した排水勾配を有する。排水口２６には、上下方向に昇降することにより排水口を開閉する排水栓を設けてもよい。
【００２５】
バックガード部２４は、ボウル部２２の後端から上方に延びる。バックガード部２４は、必要に応じて設けられ、省略可能である。洗面器１２の形状は、少なくともボウル部２２を有する任意の形状でよい。
【００２６】
洗面器１２は、支持台１６の上に設けられる。支持台１６は、洗面器１２を支持する。支持台１６は、例えば、本体部１６ａと、２つの引き出し１６ｂ、１６ｃと、を有する。本体部１６ａは、例えば、前方及び上方を開口させた略直方体の開口箱状である。本体部１６ａの上方の開口は、洗面器１２によって塞がれる。ボウル部２２の少なくとも一部は、本体部１６ａの上方の開口から本体部１６ａ内に入り込む。
【００２７】
各引き出し１６ｂ、１６ｃは、上方を開口させた略直方体の開口箱状である。各引き出し１６ｂ、１６ｃは、本体部１６ａに前後に移動可能に支持され、本体部１６ａ内に収納された収納位置（図１に表した位置）と、本体部１６ａから前方に引き出された引出位置と、に移動する。各引き出し１６ｂ、１６ｃは、収納位置にある状態において、本体部１６ａの前方の開口を塞ぐ。そして、各引き出し１６ｂ、１６ｃは、引出位置にある状態において、内部に物品を収納可能とする。
【００２８】
このように、支持台１６は、物品を収納可能なキャビネットとしても機能する。支持台１６は、換言すれば、下部キャビネット（フロアキャビネット）である。なお、引き出しの数は、２つに限ることなく、１つでもよいし、３つ以上でもよい。また、支持台１６は、引き出し式のキャビネットに限ることなく、扉式のキャビネットでもよい。
【００２９】
支持台１６は、必ずしも収納機能を有していなくてもよい。支持台１６は、洗面器１２を支持可能な任意の構成でよい。また、洗面器１２は、例えば、洗面所などの壁面に直接取り付けてもよい。すなわち、支持台１６は、必要に応じて設けられ、省略可能である。
【００３０】
水栓装置１４は、洗面器１２のバックガード部２４に取り付けられ、ボウル部２２の上方に配置される。これにより、水栓装置１４は、洗面器１２のボウル部２２に向けて水を吐出する。
【００３１】
水栓装置１４の取付位置は、上記に限ることなく、例えば、洗面器１２の後部上方に設けられる取付パネル（バックパネル）などに取り付けてもよいし、洗面所などの壁面に直接取り付けてもよい。水栓装置１４の取付位置は、ボウル部２２内に水を吐出可能な任意の位置でよい。水栓装置１４の取付位置は、洗面器１２の形状などに応じて適宜設定すればよい。
【００３２】
ミラーキャビネット１８は、ボウル部２２を有する洗面器１２よりも上方に設置される。ミラーキャビネット１８は、キャビネット本体３０と、３枚の扉３１〜３３と、を有する。キャビネット本体３０は、前方を開口させた略直方体の開口箱状であり、内部に物品を収納可能とする。各扉３１〜３３は、キャビネット本体３０に上下方向を軸に回転可能に軸支され、キャビネット本体３０の前方の開口を塞ぐ閉じ位置（図１に表した位置）と、キャビネット本体３０の前方の開口を露呈させる開き位置と、に移動する。また、各扉３１〜３３の前面には、鏡３１ａ〜３３ａが設けられている。なお、ミラーキャビネット１８に設けられる扉及び鏡の数は、３枚に限ることなく、１枚又は２枚でもよいし、４枚以上でもよい。
【００３３】
照明装置２０は、ミラーキャビネット１８の上部に設けられている。照明装置２０は、例えば、ミラーキャビネット１８において各扉３１〜３３よりも上方に設けられる。照明装置２０は、下方に向かって光を照射し、各扉３１〜３３（各鏡３１ａ〜３３ａ）、及びボウル部２２を照らす。このように、照明装置２０で照らすことにより、夜間などにおいても使用者が洗面化粧台１０を利用することができる。照明装置２０は、例えば、ＬＥＤ（Light Emitting Diode）などの発光素子を有する。照明装置２０は、例えば、複数の発光素子を有し、各発光素子を点灯させることにより、各扉３１〜３３などを照らす。
【００３４】
照明装置２０は、左右方向に延び、各扉３１〜３３及びボウル部２２の略全体を照らす。照明装置２０は、例えば、各扉３１〜３３及びボウル部２２の一部のみをスポット的に照らしてもよい。照明装置２０は、ミラーキャビネット１８の上部に限ることなく、ミラーキャビネット１８の下部や側端部に設けてもよい。また、照明装置２０は、ミラーキャビネット１８とは別に、洗面所の壁面などに取り付けてもよい。照明装置２０の取付位置は、例えば、水栓装置１４よりも上方の任意の位置でよい。照明装置２０の取付位置は、例えば、各鏡３１ａ〜３３ａの少なくとも一部を照明可能な任意の位置でよい。照明装置２０は、複数の光源を有してもよい。換言すれば、洗面化粧台１０は、複数の照明装置２０を有してもよい。
【００３５】
図２は、第１の実施形態に係る水栓装置を表す模式的斜視図である。  
図３は、第１の実施形態に係る水栓装置を表す模式的底面図である。  
図４（ａ）及び図４（ｂ）は、第１の実施形態に係る水栓装置を表す模式的側面図である。  
図２、図３、図４（ａ）及び図４（ｂ）に表したように、水栓装置１４は、照明部４０と、水栓部４２と、流量調整部４４と、ケース４６と、を有する。なお、図３では、図２において矢線Ａで表すように、水栓装置１４を斜め下方から見た状態を表している。
【００３６】
水栓部４２は、ボウル部２２へ水を吐出する。水栓部４２は、いわゆるスパウトである。流量調整部４４は、水栓部４２から吐出される水の流量を調整する。また、流量調整部４４は、水栓部４２から吐出される水の温度を調整する。流量調整部４４は、流量調整レバー４４ａを有する。流量調整部４４は、使用者による流量調整レバー４４ａの操作に応じて、水栓部４２から吐出される水の流量及び温度を調整する。流量調整部４４における流量及び温度の調整の態様は、流量調整レバー４４ａに限ることなく、流量及び温度を調整可能な任意の態様でよい。
【００３７】
水栓部４２は、ケース４６や支持台１６の内部空間などにおいて湯水混合部などを介して給水管及び給湯管に接続される。水栓部４２から吐出される水は、例えば、上水（水道水）である。水栓部４２から吐出される水の温度調整は、流量調整部４４とは別の調整部で行ってもよい。流量調整部４４は、少なくとも水栓部４２から吐出される水の流量を調整できればよい。
【００３８】
ケース４６は、水栓部４２及び流量調整部４４の少なくとも一部を覆う。ケース４６は、例えば、左右方向に延びた略直方体の箱状である。ケース４６は、内部の空間に水栓部４２や流量調整部４４の少なくとも一部を入り込ませ、これらの各部を保持する。
【００３９】
水栓部４２は、ケース４６の下部に設けられ、下方に向けて水を吐出する。流量調整部４４の流量調整レバー４４ａは、ケース４６の下部に設けられ、下方に向かって延びる。流量調整レバー４４ａは、例えば、前後方向及び左右方向に揺動可能に上端部を軸支される。例えば、流量調整レバー４４ａを前後方向に揺動させることにより、水栓部４２から吐出される水の流量が調整され、流量調整レバー４４ａを左右方向に揺動させることにより、水栓部４２から吐出される水の温度が調整される。
【００４０】
また、図４（ｂ）に表したように、水栓部４２は、ケース４６から取り外すことができる。水栓部４２は、可撓性を有するホース４８に接続されている。ホース４８は、水栓部４２がケース４６に取り付けられた状態においては、ケース４６内に収納されている。このように、水栓装置１４では、水栓部４２をケース４６から取り外し、ホース４８をケース４６から引き出すことにより、水栓部４２をハンドシャワーとして用いることができる。
【００４１】
ケース４６は、上方に物品を載置可能なカウンター部５０と、カウンター部５０の前端部から後方に向かって下降傾斜した前方傾斜部５２と、を有する。カウンター部５０は、上面５０ａと前面５０ｂとを有する。カウンター部５０の上面５０ａは、洗面器１２のバックガード部２４に取り付けられた状態において、略水平となる。これにより、水栓装置１４では、カウンター部５０の上面５０ａの上に、コップなどの物品を置くことができる。また、カウンター部５０の上面５０ａを構成する棚板や表面シートなどのデザインを変更することにより、使用者のニーズに合わせて水栓装置１４の意匠性を変化させることもできる。
【００４２】
カウンター部５０の前面５０ｂは、例えば、上面５０ａの前端から略垂直に下方に延びる。前面５０ｂは、例えば、上下方向及び左右方向に延びる垂直面である。前方傾斜部５２は、前面５０ｂの下端から後方に向かって下降傾斜する。水栓部４２は、例えば、前方傾斜部５２に設けられ、前方斜め下方に向けて水を吐出する。また、水栓部４２は、例えば、前方傾斜部５２において左右方向の略中央に設けられる。
【００４３】
照明部４０は、ケース４６内に設けられている。水栓装置１４は、水栓部４２の左右両側に配置された２つの照明部４０を有する。ケース４６は、２つの光拡散板５４を有する。各光拡散板５４は、ケース４６の底面４６ｂに設けられ、上下方向において各照明部４０のそれぞれと対向する位置に配置されている。各光拡散板５４は、光透過性と光拡散性とを有する。
【００４４】
各光拡散板５４は、非光透過性のケース４６内に設けられた各照明部４０の光をケース４６の外部に出射させるとともに、ケース４６の底面４６ｂに設けられた開口を塞ぐ。これにより、各照明部４０をケース４６内に設けた場合にも、ケース４６内への水の侵入を抑制することができる。例えば、水栓装置１４の美観の低下を抑制することもできる。各光拡散板５４には、例えば、半透明（乳白色）の樹脂材料が用いられる。
【００４５】
各照明部４０は、下方に向かって光を照射し、各光拡散板５４を透過させることにより、ケース４６の鉛直下方の領域を照らす。このように、各照明部４０は、ケース４６に設けられ、ケース４６から下方に向かって光を照射することにより、ケース４６の鉛直下方の領域を照らす。換言すれば、各照明部４０は、ケース４６の直下の領域を照らす。ケース４６の鉛直下方の領域は、各照明部４０によって照らされる。
【００４６】
各照明部４０は、ケース４６の鉛直下方の領域を照らすことにより、水栓部４２及び水栓部４２から吐出された水の周囲を消灯時よりも明るくする。換言すれば、水栓部４２は、各照明部４０の光で照らされる位置に水を吐出する。水栓部４２は、各照明部４０によって照らされるケース４６の下方の領域に水を吐出する。水栓部４２は、例えば、ボウル部２２のうち、各照明部４０の光で照らされる位置に水を吐出する。これにより、夜間など洗面化粧台１０が設置された空間が暗い場合であっても、水栓部４２及び水栓部４２から吐出された水を視認し易くし、使い勝手を向上させることができる。
【００４７】
また、各照明部４０は、ケース４６の鉛直下方の領域を照らすことにより、ケース４６の下部から下方に延びる流量調整レバー４４ａの周囲を、点灯時において消灯時よりも明るくする。流量調整レバー４４ａは、少なくとも一部が、各照明部４０によって照らされるケース４６の下方の領域に設けられる。これにより、夜間など洗面化粧台１０が設置された空間が暗い場合であっても、流量調整レバー４４ａを視認しながら流量の調整操作を行うことができ、さらに使い勝手を向上させることができる。
【００４８】
各照明部４０は、例えば、左右方向に並ぶ複数の発光素子を有する。各光拡散板５４は、左右方向に延びる略長方形状である。各照明部４０及び各光拡散板５４は、左右方向に延びる線状の光を下方に照射する。これにより、左右方向に長いケース４６の鉛直下方の領域をより適切に照らすことができる。また、光拡散性を有する光拡散板５４を透過させることにより、複数の発光素子から照射された光が、ボウル部２２の表面において粒状に観察されてしまうことを抑制することができる。
【００４９】
照明部４０及び光拡散板５４の数は、２つに限ることなく、１つでもよいし、３つ以上でもよい。また、光拡散板５４は、必要に応じて設けられ、省略可能である。例えば、照明部４０は、ケース４６の外面に取り付けてもよい。照明部４０の取付位置は、上記に限ることなく、ケース４６の鉛直下方の領域を照明可能な任意の位置でよい。
【００５０】
水栓装置１４は、機能水吐出部６０と、機能水照射部６２と、を有する。機能水吐出部６０は、除菌作用を有する機能水をボウル部２２に吐出する。機能水吐出部６０は、ケース４６の下部に設けられ、下方に向けて機能水を吐出する。機能水吐出部６０は、例えば、ボウル部２２の排水口２６に向けて機能水を吐出する。
【００５１】
水栓装置１４では、例えば、機能水吐出部６０からボウル部２２に機能水を吐出することにより、ボウル部２２の排水口２６や排水口２６の内部における菌の繁殖を抑えることができる。洗面化粧台１０及び水栓装置１４では、例えば、排水口２６及び排水口２６の内部の除菌を行い、洗面器１２を清潔に保つことができる。また、歯ブラシやコップなどに機能水を吐出することにより、これらの除菌を行うこともできる。
【００５２】
機能水吐出部６０は、例えば、機能水を霧状にしてボウル部２２に噴霧する。機能水吐出部６０は、例えば、ミストノズルである。機能水吐出部６０から噴霧される霧状の機能水の外径（広がりの幅）は、機能水吐出部６０の噴霧口の開口径よりも大きい。機能水吐出部６０は、例えば、円錐状に機能水を噴霧する。これにより、例えば、ボウル部２２の広範囲に機能水を付着させることができ、洗面器１２をより適切に除菌することができる。
【００５３】
機能水吐出部６０から噴霧される霧状の機能水の粒子径は分布を持っており、サブミクロンオーダーのものから、２０００マイクロメートルを超えるものまで存在するが、その平均粒子径は、例えば約２００マイクロメートル（μｍ）以上１５００μｍ以下程度である。これにより、例えば、必要な洗浄性能を確保することができ、かつ機能水の不要な飛散を抑制することができる。なお、ここでいう平均粒子径はＨｅ−Ｎｅレーザを利用したフランホーヘル解析法で得られる粒子径分布に基づいたザウター平均値（総体積／総表面積）であり、直径相当のものを言う。機能水吐出部６０からの機能水の吐出の形態は、霧状に限ることなく、液滴状や水流状でもよい。
【００５４】
機能水照射部６２は、機能水吐出部６０と並べてケース４６の下部に設けられている。また、機能水照射部６２は、下方に向けて設けられている。機能水照射部６２は、機能水吐出部６０から機能水を吐出する際に点灯する。機能水照射部６２は、機能水吐出部６０から吐出されている最中の機能水のうちで機能水吐出部６０よりも下方の所定範囲に存在する機能水に光を照射する。これにより、機能水照射部６２は、機能水の吐出が行われていることを使用者に報知するとともに、吐出されている機能水を見易くする。機能水照射部６２から光を照射することにより、例えば、機能水吐出部６０から霧状に噴霧されている機能水を見易くすることができる。
【００５５】
機能水照射部６２は、例えば、円錐状に光を照射する。機能水照射部６２の光の照射範囲は、機能水吐出部６０の機能水の吐出範囲（噴霧範囲）よりも広い。換言すれば、機能水照射部６２の光の照射角度は、機能水吐出部６０の機能水の吐出角度（噴霧角度）よりも広い。これにより、機能水照射部６２は、機能水吐出部６０から吐出されている最中の機能水のうちで機能水吐出部６０よりも下方の所定範囲に存在する機能水の略全体に光を照射する。機能水照射部６２は、機能水吐出部６０から吐出され、所定位置よりも下方に降下する機能水の略全体に光を照射する。これにより、吐出されている機能水をより見易くすることができる。
【００５６】
水栓装置１４は、吐水操作部６３と、温度表示部６４と、照明操作部６５と、機能水操作部６６と、をさらに有する。吐水操作部６３、温度表示部６４、照明操作部６５、及び機能水操作部６６は、ケース４６のカウンター部５０の前面５０ｂに設けられている。これらの各部の位置は、前面５０ｂに限ることなく、ケース４６の任意の位置でよい。
【００５７】
吐水操作部６３は、水栓部４２からの水の吐止水の切り替えに用いられる。水栓部４２から水が吐出されていない状態で、吐水操作部６３を操作することにより、水栓部４２から水が吐出される。そして、水栓部４２から水が吐出されている状態で、吐水操作部６３を再び操作することにより、水栓部４２からの水の吐出が停止される。吐水操作部６３には、例えば、タッチセンサや押しボタンスイッチなどが用いられる。
【００５８】
温度表示部６４は、水栓部４２から吐出される水の温度を表示する。水栓装置１４は、水栓部４２から吐出される水の温度を検出し、検出した温度を温度表示部６４に表示する。また、水栓装置１４は、水栓部４２から吐出される水の温度が所定温度以上である場合に、水栓部４２からの吐水を停止する。すなわち、水栓装置１４は、水栓部４２から吐出される水が高温である場合に、水栓部４２からの吐水をロックする。この際、水栓装置１４は、水栓部４２からの吐水のロックを温度表示部６４によって使用者に報知する。これにより、例えば、給水管の異常などを使用者に報知することができる。
【００５９】
このように、温度表示部６４は、例えば、温度表示機能と、高温ロック報知機能と、を有する。温度表示部６４には、例えば、ＬＥＤなどの発光素子が用いられる。温度表示部６４は、例えば、光の点灯・消灯、及び光の色などにより、温度表示と高温ロック報知とを行う。温度表示部６４には、例えば、液晶ディスプレイなどの表示装置を用いてもよい。温度表示部６４の表示態様は、光に限ることなく、文字や音声など温度表示及び高温ロック報知が可能な任意の態様でよい。また、高温ロック報知は、別の表示部などで行ってもよい。温度表示部６４は、少なくとも温度表示機能を有していればよい。
【００６０】
照明操作部６５は、ミラーキャビネット１８に設けられた照明装置２０の点灯・消灯の切り替えに用いられる。照明操作部６５の操作に応じて、照明装置２０の点灯・消灯が切り替えられる。
【００６１】
機能水操作部６６は、機能水吐出部６０からの機能水の吐止水の切り替えに用いられる。照明操作部６５及び機能水操作部６６には、例えば、タッチセンサや押しボタンスイッチなどが用いられる。吐水操作部６３、照明操作部６５、及び機能水操作部６６は、スライド式のスイッチやレバーなどでもよく、操作指示の入力が可能な任意の部材でよい。
【００６２】
水栓装置１４は、使用者による機能水操作部６６の操作に応じて機能水吐出部６０から機能水を吐出する。水栓装置１４は、例えば、機能水操作部６６の操作に応じて機能水の噴霧を所定時間（例えば、１０秒間）行い、所定時間の経過に応じて自動的に機能水の噴霧を停止する。
【００６３】
水栓装置１４は、例えば、機能水操作部６６の１回目の操作で機能水の噴霧を行い、機能水操作部６６の２回目の操作で機能水の噴霧を停止させてもよい。例えば、所定時間の経過などにより、機能水操作部６６の操作とは無関係に機能水吐出部６０から自動的に機能水を噴霧してもよい。以下では、機能水操作部６６の操作に応じて行う機能水の噴霧を「手動吐水」、機能水操作部６６の操作とは無関係に行う機能水の噴霧を「自動吐水」と称す。
【００６４】
自動吐水機能のオン・オフは、例えば、機能水操作部６６の操作によって切り替えられる。例えば、自動吐水機能がオフに設定されている状態で機能水操作部６６を長押しする（所定時間押し続ける）ことにより、オンに設定される。そして、自動吐水機能がオンに設定されている状態で機能水操作部６６を長押しすることにより、オフに設定される。
【００６５】
また、水栓装置１４は、例えば、自動吐水機能を開始する直前に機能水照射部６２を点滅させることにより、自動吐水機能が開始されることを使用者に報知する。使用者への報知方法としては、点滅以外に点灯するものや明滅するものであってもよい。吐水が行われているか否かの報知、及び自動吐水開始の報知は、光の照射に限ることなく、例えば、音声などで行ってもよい。これらの報知は、報知が可能な任意の態様でよい。
【００６６】
図５は、第１の実施形態に係る水栓装置を表す模式的ブロック図である。  
図５に表したように、水栓装置１４は、制御部７０と、電源回路７２と、センサ部７４と、着脱検知センサ７８と、電磁弁８０、８１と、分岐金具８２と、温度センサ８４と、電磁弁８６と、機能水生成部８８と、をさらに有する。制御部７０、電源回路７２、電磁弁８０、８１、８６、分岐金具８２、及び機能水生成部８８は、例えば、ケース４６とは別に、支持台１６の内部などに収容される。これらの各部は、ケース４６内に設けてもよい。
【００６７】
制御部７０は、水栓装置１４の各部を制御する。制御部７０は、照明部４０、機能水照射部６２、吐水操作部６３、温度表示部６４、照明操作部６５、及び機能水操作部６６と接続されている。制御部７０は、吐水操作部６３、照明操作部６５、及び機能水操作部６６などから入力される操作指示に応じて、照明部４０、機能水照射部６２、及び温度表示部６４などの各部の動作を制御する。
【００６８】
また、制御部７０は、照明装置２０に接続され、照明装置２０の点灯・消灯を制御する。制御部７０は、例えば、照明操作部６５の操作に応じて照明装置２０の点灯・消灯を切り替える。
【００６９】
このように、制御部７０は、外部の機器の動作を水栓装置１４の動作と連動させる連動制御機能を有する。換言すれば、水栓装置１４は、照明装置２０などの外部の機器のコントローラとしても機能する。
【００７０】
電源回路７２は、電力源ＰＳに接続される。電源回路７２は、電力源ＰＳから供給された電力を変換し、変換後の電力を制御部７０などに供給する。電力源ＰＳは、例えば、ＡＣ１００Ｖ（実効値）の商用電源である。電源回路７２は、例えば、電力源ＰＳから供給される交流電力を、制御部７０などに対応した直流電力に変換し、変換後の直流電力を制御部７０などの各部に供給する。制御部７０などの各部は、電源回路７２からの電力供給に応じて動作する。
【００７１】
また、電源回路７２は、例えば照明装置２０など、水栓装置１４の外部の機器にも電力を供給する。例えば、照明装置２０に発光素子が用いられている場合、電源回路７２は、照明装置２０の発光素子に対応した直流電力を照明装置２０に供給する。照明装置２０は、水栓装置１４の電源回路７２からの電力供給により、発光素子を点灯させる。このように、電源回路７２は、外部の機器に電力を供給する電力供給機能を有する。これにより、例えば、照明装置２０において電源回路を省略することができる。例えば、洗面化粧台１０全体における部品点数を削減することができ、洗面化粧台１０の製造コストを抑えることができる。
【００７２】
センサ部７４は、人体検知センサ７５と、手検知センサ７６と、を有する。人体検知センサ７５は、ボウル部２２より前方側に存在する人体を検知する。換言すれば、人体検知センサ７５は、前方から洗面化粧台１０に接近する使用者などの人体を検知する。手検知センサ７６は、ケース４６の下方の領域で且つ水栓部４２の近傍に存在する手を検知する。なお、本発明の実施の形態において、例えば、水栓部４２の吐出孔出口の中心から半径１００ミリメートル（ｍｍ）の範囲であれば「水栓部４２の近傍」に含まれるものであり、手検知センサ７６は、例えば、水栓部４２の吐出孔出口の中心から半径１００ミリメートル（ｍｍ）の範囲内の少なくとも一部に、検知範囲がある。手検知センサ７６は、例えば、ボウル部２２内又はボウル部２２の上方に差し出された使用者の手を検知する。手検知センサ７６は、例えば、ボウル部２２と水栓部４２との間に差し出された使用者の手を検知する。手検知センサ７６の検知範囲の少なくとも一部は、ケース４６の下方において各照明部４０による光で照らされる位置に設けられる。
【００７３】
人体検知センサ７５及び手検知センサ７６は、制御部７０に接続され、検知結果を制御部７０に入力する。人体検知センサ７５及び手検知センサ７６には、例えば、投光部と受光部とを有する赤外線測距センサが用いられる。人体検知センサ７５及び手検知センサ７６には、例えば、焦電センサや超音波センサなどを用いてもよい。人体検知センサ７５及び手検知センサ７６は、例えば、赤外線などの電磁波や超音波などの信号波を基に、人体や手などを非接触で検知可能な任意のセンサでよい。
【００７４】
制御部７０は、人体検知センサ７５による人体の検知に応じて各照明部４０を点灯させる。また、制御部７０は、例えば、人体検知センサ７５による人体の検知に応じて各照明部４０を点灯させるとともに、照明装置２０を点灯させる。そして、制御部７０は、人体検知センサ７５による人体の検知の停止に応じて、各照明部４０及び照明装置２０を消灯させる。
【００７５】
このように、照明装置２０の点灯・消灯は、照明操作部６５の操作に応じて切り替えてもよいし、人体検知センサ７５の検知結果に応じて切り替えてもよい。また、照明装置２０の点灯・消灯は、例えば、照明操作部６５による手動切り替えと、人体検知センサ７５による自動切り替えとを、照明操作部６５の操作などによって切り替えられるようにしてもよい。例えば、フォトダイオードなどの照度センサを設け、人体が検知された際に、周囲の明るさが所定値未満の場合にのみ、各照明部４０及び照明装置２０を自動的に点灯させるようにしてもよい。
【００７６】
制御部７０は、手検知センサ７６による手の検知に応じて、水栓部４２から水を吐出させる。また、制御部７０は、手検知センサ７６による手の検知の停止に応じて、水栓部４２からの水の吐出を停止させる。このように、制御部７０は、吐水操作部６３の手動操作に応じて水栓部４２から水を吐出させるとともに、手検知センサ７６の検知結果に応じて、水栓部４２から自動的に水を吐出させる。例えば、吐水操作部６３の操作により、手検知センサ７６による自動吐水の機能をオン・オフできるようにしてもよい。
【００７７】
また、人体検知センサ７５が人体を検知していない状態で、手検知センサ７６が手を検知した場合、虫の飛来などによる誤検出であることが考えられる。従って、制御部７０は、人体検知センサ７５が人体を検知し、かつ手検知センサ７６が手を検知した場合にのみ、水栓部４２から水を吐出させるようにしてもよい。
【００７８】
人体検知センサ７５は、例えば、ケース４６内に設けられる。ケース４６は、透過窓６７を有する（図３参照）。透過窓６７は、人体検知センサ７５の検知に用いられる赤外線（信号波）を透過させる。透過窓６７は、例えば、人体検知センサ７５の投光部から照射された赤外光を透過させ、人体などで反射した反射光を再び透過させることにより、人体検知センサ７５の受光部に入射させる。これにより、人体検知センサ７５をケース４６内に設けた場合にも、人体の検知が可能となる。
【００７９】
透過窓６７は、例えば、ケース４６の前方傾斜部５２に設けられる。人体検知センサ７５は、前方傾斜部５２の部分を透過する赤外線を基に、人体を検知する。人体検知センサ７５及び透過窓６７の位置は、上記に限ることなく、ボウル部２２より前方側に存在する人体を検知可能な任意の位置でよい。
【００８０】
手検知センサ７６は、例えば、ケース４６の突出部４６ａの内部に設けられる（図２及び図３参照）。突出部４６ａは、水栓部４２がケース４６に取り付けられた状態において、水栓部４２の前方に設けられる。突出部４６ａは、透過窓６８を有する。透過窓６８は、例えば、突出部４６ａの下端に設けられ、ケース４６に取り付けられた水栓部４２の吐水口と実質的に同じ方向を向く。透過窓６８は、透過窓６７と同様に、手検知センサ７６の検知に用いられる赤外線（信号波）を透過させる。これにより、手検知センサ７６を突出部４６ａ（ケース４６）の内部に設けた場合にも、手の検知が可能となる。手検知センサ７６及び透過窓６８の位置は、上記に限ることなく、水栓部４２の近傍に存在する手を検知可能な任意の位置でよい。
【００８１】
着脱検知センサ７８は、水栓部４２のケース４６に対する着脱を検知する。すなわち、着脱検知センサ７８は、水栓部４２がケース４６に取り付けられた状態か、水栓部４２がケース４６から取り外された状態か、を検知する。着脱検知センサ７８は、制御部７０に接続され、検知結果を制御部７０に入力する。
【００８２】
制御部７０は、水栓部４２が取り外されたことを着脱検知センサ７８が検知すると、手検知センサ７６による自動吐水の機能をオフにする。これにより、水栓部４２をケース４６から取り外して使用する際に、水栓部４２を掴んだ手に反応し、意図せず水栓部４２から吐水が行われてしまうことを抑制することができる。着脱検知センサ７８は、例えば、機械式のスイッチ、光学センサ、あるいは磁気センサなど、水栓部４２の着脱を検知可能な任意のスイッチ又はセンサでよい。
【００８３】
電磁弁８０は、止水栓９０を介して給湯管などの給湯源ＨＳに接続されている。電磁弁８１は、分岐金具８２及び止水栓９１を介して給水管などの給水源ＷＳに接続されている。電磁弁８０、８１は、流量調整部４４に接続されている。また、電磁弁８０、８１は、制御部７０に接続されている。制御部７０は、電磁弁８０、８１の開閉を制御する。電磁弁８０、８１を開状態とすることにより、給水源ＷＳから供給された水、及び給湯源ＨＳから供給されたお湯が、流量調整部４４に供給される。
【００８４】
流量調整部４４は、流量調整レバー４４ａと、流量調整弁４４ｂと、を有する。流量調整レバー４４ａは、流量調整弁４４ｂに接続され、流量調整弁４４ｂの開弁量を調整する。流量調整弁４４ｂは、流量調整レバー４４ａで設定された開弁量に基づいて、給水源ＷＳから供給された水、及び給湯源ＨＳから供給されたお湯のそれぞれの流量を調整する。そして、流量調整弁４４ｂは、流量調整後の水及びお湯を混合して水栓部４２に供給する。これにより、水栓部４２から吐出される水の流量及び温度が調整される。
【００８５】
制御部７０は、吐水操作部６３の操作、又は手検知センサ７６の検知結果に応じて、電磁弁８０、８１の開閉を制御する。これにより、吐水操作部６３の操作、又は手検知センサ７６による手の検知に応じて、流量及び温度の調整された水が、水栓部４２から吐出される。
【００８６】
温度センサ８４は、水栓部４２と流量調整部４４との間の経路上に設けられ、水栓部４２から吐出される水の温度を検知する。温度センサ８４は、制御部７０に接続され、検知結果を制御部７０に入力する。
【００８７】
制御部７０は、温度センサ８４の検知結果を温度表示部６４に表示する。また、制御部７０は、温度センサ８４の検知結果が所定の温度以上である場合、電磁弁８０、８１を閉じ、水栓部４２からの吐水を停止させるとともに、温度表示部６４によって吐水の停止を報知する。すなわち、制御部７０は、温度センサ８４の検知結果が所定の温度以上である場合に、高温ロック報知を実行する。
【００８８】
電磁弁８６は、分岐金具８２及び止水栓９１を介して給水源ＷＳに接続されている。電磁弁８６は、機能水生成部８８に接続されている。また、電磁弁８６は、制御部７０に接続されている。制御部７０は、電磁弁８６の開閉を制御する。電磁弁８６を開状態とすることにより、給水源ＷＳから供給された水が、機能水生成部８８に供給される。
【００８９】
機能水生成部８８は、電磁弁８６から供給された水（水道水）から機能水を生成し、生成した機能水を機能水吐出部６０に供給する。また、機能水生成部８８は、制御部７０に接続されている。機能水生成部８８における機能水の生成は、制御部７０によって制御される。
【００９０】
制御部７０は、機能水操作部６６からの操作指示の入力に応じて、電磁弁８６を開くとともに、機能水生成部８８を動作させる。これにより、使用者の機能水操作部６６の操作に応じて、機能水が、機能水吐出部６０からボウル部２２に吐出される。また、制御部７０は、機能水の吐出に応じて機能水照射部６２を点灯させ、前述のように、機能水吐出部６０から吐出された機能水を照らす。
【００９１】
機能水生成部８８は、例えば、電解槽を有する。電解槽の内部には、陽極板および陰極板が設けられている。機能水生成部８８は、制御部７０から送信される信号に基づいて、電解槽の内部を流れる水道水や雑用水を電気分解する。ここで、水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。そのため、塩化物イオンを電気分解することにより次亜塩素酸が生成される。その結果、機能水生成部８８において電気分解された水（電解水）は、次亜塩素酸を含む液（機能水）に変化する。次亜塩素酸は、例えば、消臭成分あるいは殺菌成分として機能する。次亜塩素酸を含む液は、一般細菌などを減らしたりすることができる。
【００９２】
なお、本実施形態の機能水生成部８８は、次亜塩素酸を含む液を生成することに限定されるわけではない。機能水生成部８８において生成される機能水は、銀イオンや銅イオンなどの金属イオンを含む液であってもよい。あるいは、機能水生成部８８において生成される機能水は、電解塩素やオゾンなどを含む液であってもよい。あるいは、機能水生成部８８において生成される機能水は、酸性水やアルカリ水であってもよい。また、機能水生成部８８は、電解槽と、陽極板と、陰極板と、を有する電解槽ユニットに限定されるわけではない。
【００９３】
図６は、第１の実施形態に係る洗面器及び水栓装置の一部を表す模式的断面図である。  図６に表したように、人体検知センサ７５は、ケース４６内において透過窓６７と対向して配置される。そして、人体検知センサ７５は、図６に表したように、ケース４６の前端４６ｆとボウル部２２の前端２２ｆとの間を通る赤外線（信号波）を基に、人体を検知する。すなわち、人体検知センサ７５は、斜め下方から入射する赤外線を基に、人体を検知する。センサ部７４は、例えば、ケース４６の前端４６ｆとボウル部２２の前端２２ｆとの間を通り、前方に向かって斜め下方に送信される信号波を基に、ボウル部２２より前方側に存在する人体を検知する。ケース４６の前端４６ｆは、換言すれば、ケース４６のカウンター部５０の前面５０ｂである。ボウル部２２の前端２２ｆは、換言すれば、洗面器１２の前端である。
【００９４】
例えば、人体検知センサ７５の投光部７５ａは、斜め下方に向かって赤外光を投光する。人体検知センサ７５の受光部７５ｂは、人体などで反射し、斜め下方から透過窓６７に入射する赤外光を受光する。
【００９５】
次に、本実施形態に係る洗面化粧台１０及び水栓装置１４の動作について説明する。  
図７（ａ）〜図７（ｃ）は、第１の実施形態に係る洗面化粧台を表す模式的側面図である。  
洗面化粧台１０に使用者が接近すると、水栓装置１４の人体検知センサ７５が、接近する使用者を検知する。水栓装置１４の制御部７０は、人体検知センサ７５によって使用者が検知されると、図７（ａ）に表したように、各照明部４０を点灯させる。各照明部４０は、ケース４６の鉛直下方の領域を照らす。また、各照明部４０は、ケース４６の鉛直下方の領域を照らすことにより、点灯時において消灯時よりも流量調整レバー４４ａの周囲を明るくする。これにより、夜間など洗面化粧台１０の周囲が暗い場合においても、手洗いをし易くし、洗面化粧台１０の使い勝手を向上させることができる。
【００９６】
制御部７０は、例えば、人体検知センサ７５による人体の検知に応じて各照明部４０を点灯させるとともに、照明装置２０を点灯させる。これにより、夜間などにおいて、より手洗いをし易くし、洗面化粧台１０の使い勝手をより向上させることができる。
【００９７】
また、制御部７０は、例えば、人体検知センサ７５による人体の検知に応じて、電磁弁８６及び機能水生成部８８を動作させることにより、機能水吐出部６０から機能水を吐出させる。このように、使用者が洗面化粧台１０に到達する直前に、機能水吐出部６０から機能水を吐出し、洗面器１２の排水口２６の周囲を濡らす。これにより、例えば、排水トラップ内の水が減少していた場合などにも、排水口２６からの臭気が使用者に知覚されてしまうことを抑制することができる。なお、この場合、機能水吐出部６０から吐出する水は、機能水に限ることなく、水道水でもよい。すなわち、機能水生成部８８を停止させた状態で電磁弁８６を開くことにより、機能水吐出部６０から水道水を吐出してもよい。
【００９８】
各照明部４０及び照明装置２０が点灯した後、洗面化粧台１０の前に立った使用者が水栓部４２の近傍に手を差し出すと、手検知センサ７６が、差し出された手を検知する。制御部７０は、手検知センサ７６によって手が検知されると、図７（ｂ）に表したように、電磁弁８０、８１を開き、水栓部４２から水を吐出させる。
【００９９】
制御部７０は、水栓部４２から水を吐出させると、温度センサ８４の検知結果を温度表示部６４に表示する。また、制御部７０は、温度センサ８４の検知結果が所定の温度以上である場合、電磁弁８０、８１を閉じて水栓部４２からの吐水を停止させ、温度表示部６４によって吐水の停止を報知する。
【０１００】
水栓部４２から吐出されている水の温度が正常である場合、制御部７０は、手検知センサ７６による手の検知の停止に応じて電磁弁８０、８１を閉じ、水栓部４２からの吐水を停止させる。
【０１０１】
また、制御部７０は、例えば、手検知センサ７６の検知に応じて水栓部４２から水を吐出させた後、水栓部４２が取り外されたことを着脱検知センサ７８が検知した場合、電磁弁８０、８１を閉じ、水栓部４２からの吐水を停止させる。制御部７０は、水栓部４２が取り外されたことを着脱検知センサ７８が検知した場合、手検知センサ７６に検知結果に基づく自動吐水の機能をオフにする。これにより、水栓部４２をハンドシャワーとして利用しようとした場合に、意図せず吐水が行われてしまうことを抑制することができる。この場合、制御部７０は、吐水操作部６３の操作に応じて電磁弁８０、８１を開閉し、水栓部４２からの吐水を制御する。
【０１０２】
制御部７０は、吐水操作部６３が操作された場合、人体検知センサ７５及び手検知センサ７６の検知結果に優先して水栓部４２からの吐水を行う。すなわち、吐水操作部６３が操作された場合、手の検知や人体の検知が停止した場合にも、水栓部４２からの吐水を継続する。これにより、例えば、ボウル部２２やボウル部２２内に置かれたバケツなどへの水溜めをし易くし、洗面化粧台１０の使い勝手をより向上させることができる。この場合、例えば、所定時間又は所定量の吐水を行った後、自動的に吐水を停止させてもよい。これにより、例えば、止め忘れにともなう無駄な水の消費を抑制することができる。
【０１０３】
制御部７０は、機能水操作部６６が操作された場合、電磁弁８６及び機能水生成部８８を動作させ、機能水吐出部６０から機能水を吐出させる。そして、制御部７０は、機能水操作部６６が再び操作された場合に、電磁弁８６及び機能水生成部８８の動作を停止させ、機能水吐出部６０からの機能水の吐出を停止させる。
【０１０４】
制御部７０は、人体検知センサ７５による人体の検知の停止に応じて、図７（ｃ）に表したように、各照明部４０及び照明装置２０を消灯する。これにより、各照明部４０及び照明装置２０の消し忘れを抑制し、洗面化粧台１０の使い勝手をより向上させることができる。
【０１０５】
制御部７０は、人体検知センサ７５による人体の検知の停止に応じて、電磁弁８６及び機能水生成部８８を動作させ、機能水吐出部６０から機能水を吐出させる。制御部７０は、例えば、人体検知センサ７５による人体の検知の停止から所定時間経過した後、機能水吐出部６０から機能水を吐出させる。これにより、水栓装置１４の使用後に、排水口２６を除菌し、洗面器１２の清潔性を保つことができる。排水口２６の除菌を自動的に行うことができ、洗面化粧台１０の使い勝手をより向上させることができる。
【０１０６】
また、制御部７０は、自動吐水の機能が設定されている場合、機能水の吐出から所定時間経過した後、電磁弁８６及び機能水生成部８８を再び動作させ、機能水吐出部６０から機能水を吐出させる。これにより、洗面器１２をより清潔に保つことができ、洗面化粧台１０の使い勝手をより向上させることができる。
【０１０７】
以上、説明したように、洗面化粧台１０では、センサ部７４の人体検知センサ７５がボウル部２２前に来た使用者を検知することで、各照明部４０がケース４６の鉛直下方の領域を照らすため、夜間など洗面化粧台１０が設置された空間が暗い場合であっても、使用者は照らされたケース４６の鉛直下方の領域へ手を差し込むことで、センサ部７４の手検知センサ７６に手を検知させ、手洗いを行うことができる。従って、夜間など洗面化粧台１０が設置された空間が暗い場合であっても、水栓部４２及び水栓部４２から吐出された水を視認し易くし、自動式で且つ箱状である水栓装置１４の使い勝手を向上させることができる。
【０１０８】
また、洗面化粧台１０では、水栓部４２が、センサ部７４の人体の検知に応じて点灯した各照明部４０によって照らされるケース４６の下方の領域に水を吐出する。水栓部１４は、下方に向けてケース４６に設けられ、ケース４６の下方に水を吐出するため、夜間など周囲が暗い環境の場合に、水栓部１４及び水栓部１４から吐出された水が箱状のケース４６の影に隠れ、視認し難くなってしまう可能性があるが、洗面化粧台１０では、水栓部４２から吐出される水も各照明部４０の光によって照らされるため、夜間など洗面化粧台１０が設置された空間が暗い場合であっても、吐出されている水を視認しながら手を水に当てることができ、さらに使い勝手を向上させることができる。
【０１０９】
なお、本実施形態においては、ケース４６が水栓部１４及び流量調整部４４の一部を覆ったものを水栓装置１４としたが、本発明はそれに限らず、例えば、ミラーキャビネット３０の下端に水栓部１４及び流量調整部４４を収納したものも、「水栓装置」の定義に含まれるものとする。その際には、ミラーキャビネット３０の下端が、「ケース」に相当する。
【０１１０】
また、洗面化粧台１０では、流量調整弁４４ｂの開弁量を調整するための流量調整レバー４４ａの周囲も各照明部４０の光によって照らされるため、夜間など洗面化粧台１０が設置された空間が暗い場合であっても、吐出されている水を適宜視認しつつ、流量調整レバー４４ａを視認しながら流量の調整操作を行うことができ、さらに使い勝手を向上させることができる。
【０１１１】
また、洗面化粧台１０では、センサ部７４の人体検知センサ７５が、ケース４６の前端４６ｆとボウル部２２の前端２２ｆとの間を通る赤外線を基に、人体を検知する。これにより、ボウル部２２のすぐ前方に位置する使用者のみに反応し易くすることができる。例えば、浴室の脱衣所に洗面化粧台１０が設置されている場合に、脱衣行為のみを行う人に反応して各照明部４０が点灯してしまうことを抑制することができる。さらには、背の低い女性や子供などでも検知し易くなり、背の低い女性や子供などがボウル部２２の前方に来た場合にも、より確実に各照明部４０を点灯させることができる。
【０１１２】
また、洗面化粧台１０では、センサ部７４の人体検知センサ７５が、前方傾斜部５２に設けられた透過窓６７において赤外線を透過させることにより、背の低い女性や子供などをより確実に検知することができる。また、カウンター部５０にコップなどを載せることができるようにしつつ、コップが倒れてケースに水がかかってしまった場合などでも、前方傾斜部５２に沿ってケース４６の底面方向へ水を流すことができ、ボウル部２２の前方やボウル部２２内に水が派手に飛び散ることを抑制することができる。
【０１１３】
図８は、第１の実施形態に係る水栓装置の変形例を表す模式的側面図である。  
図８に表したように、この例では、照明部４０が、ケース４６の下端に設けられている。照明部４０は、下方に向かって光を照射するとともに、前方に向かって光を照射する。これにより、照明部４０は、ケース４６の鉛直下方の領域を照らすとともに、流量調整レバー４４ａを照らす。換言すれば、この例において、流量調整レバー４４ａの少なくとも一部は、ケース４６の下方に延び、照明部４０による光で照らされる位置に設けられる。
【０１１４】
これにより、照明部４０の点灯時において消灯時よりも流量調整レバー４４ａの周囲をより確実に明るくすることができる。夜間など洗面化粧台１０が設置された空間が暗い場合であっても、流量調整レバー４４ａをより操作し易くすることができる。
【０１１５】
図８に表した例では、流量調整レバー４４ａを後方側から照らしている。流量調整レバー４４ａは、前方側から照らしてもよいし、側方側から照らしてもよい。流量調整レバー４４ａに光を照射する場合、照明部４０の位置は、流量調整レバー４４ａを照明可能な任意の位置でよい。また、流量調整レバー４４ａに光を照射する場合、図８に表したように、照明部４０から照射された光を直接的に流量調整レバー４４ａに当ててもよいし、反射板などを介して反射した光を流量調整レバー４４ａに当ててもよい。
【０１１６】
図９（ａ）及び図９（ｂ）は、第１の実施形態に係る洗面器及び水栓装置の変形例を表す模式的断面図である。  
図９（ａ）に表したように、この例では、透過窓６７の上端６７ａが、ケース４６の外表面よりも前方に突出している。透過窓６７の上端６７ａは、カウンター部５０から透過窓６７に水滴が伝うことを抑制する。このように、この例では、透過窓６７の上端６７ａが、水滴抑制部として機能する。透過窓６７の上端６７ａは、例えば、略水平又は後方に向かって下降傾斜する面であることが好ましい。これにより、透過窓６７に水滴が伝うことを上端６７ａによって、より確実に抑制することができる。
【０１１７】
図９（ｂ）に表したように、この例では、ケース４６が突出部４６ｐを有する。突出部４６ｐは、前方傾斜部５２において透過窓６７よりも上方に設けられ、前方傾斜部５２から前方に向かって突出する。突出部４６ｐは、カウンター部５０から透過窓６７に水滴が伝うことを抑制する。すなわち、この例では、突出部４６ｐが、水滴抑制部として機能する。このように、水滴抑制部は、透過窓６７に設けてもよいし、ケース４６自体に設けてもよい。
【０１１８】
図９（ａ）及び図９（ｂ）に表したように、水滴抑制部をケース４６に設けることにより、カウンター部５０に載せたコップなどが倒れてケース４６に水がかかった場合でも、水滴抑制部によって透過窓６７に水滴が伝うことを抑制することができ、センサ部７４の動作に不具合が発生してしまうことを抑制することができる。ボウル部２２より前方側に存在する人体をより確実に検知することができる。
【０１１９】
図１０は、第１の実施形態に係る水栓装置の変形例を表す模式的ブロック図である。  
図１０に表したように、この例では、センサ部７４の人体検知センサ７５及び手検知センサ７６が、マイクロ波センサ７７に置き換えられている。マイクロ波センサ７７は、マイクロ波（信号波）を送信し、使用者などの物体で反射した反射波を受信し、送信波と受信波との位相差や周波数差を計測することにより、物体との距離や物体の移動速度などを検知する。
【０１２０】
マイクロ波センサ７７では、１つのセンサで人体の検知と手の検知とを行うことができる。マイクロ波センサ７７は、ボウル部２２より前方側に存在する人体を検知するとともに、水栓部４２の近傍に存在する手を検知する。マイクロ波センサ７７は、制御部７０に接続され、検知結果を制御部７０に入力する。マイクロ波センサ７７の送信するマイクロ波の周波数はＧＨｚ（ギガヘルツ）帯が好ましく、例えば、１０．５０ＧＨｚ以上１０．５５ＧＨｚ以下、又は２４．０５ＧＨｚ以上２４．２５ＧＨｚ以下である。
【０１２１】
図１１は、第１の実施形態に係る洗面器及び水栓装置の変形例を表す模式的断面図である。  
図１１に表したように、この例では、透過窓６７が省略されている。ケース４６に樹脂材料などが用いられている場合、マイクロ波センサ７７から送信されたマイクロ波は、ケース４６自体を透過可能である。従って、センサ部７４にマイクロ波センサ７７を用いた場合には、透過窓６７を省略することができる。これにより、水栓装置１４の美観を向上させることができる。
【０１２２】
マイクロ波センサ７７は、例えば、ケース４６内に設けられ、ケース４６内において前方傾斜部５２と対向して配置される。マイクロ波センサ７７は、前方傾斜部５２の部分を透過するマイクロ波を基に、人体及び手を検知する。これにより、例えば、ケース４６の角部などにマイクロ波を透過させる場合と比べて、マイクロ波を透過させ易くすることができる。人体や手の検知性能を向上させることができる。
【０１２３】
また、マイクロ波センサ７７は、上記実施形態と同様に、ケース４６の前端４６ｆとボウル部２２の前端２２ｆとの間を通るマイクロ波（信号波）を基に、人体及び手を検知する。マイクロ波センサ７７は、斜め下方から入射するマイクロ波を基に、人体及び手を検知する。マイクロ波センサ７７の送信部７７ａは、斜め下方に向かって赤外光を投光する。マイクロ波センサ７７の受光部７７ｂは、人体などで反射し、斜め下方から前方傾斜部５２に入射する反射波を受信する。
【０１２４】
これにより、上記実施形態と同様に、ボウル部２２のすぐ前方に位置する使用者のみに反応し易くすることができる。背の低い女性や子供などでも検知し易くなり、背の低い女性や子供などがボウル部２２の前方に来た場合にも、より確実に各照明部４０を点灯させることができる。
【０１２５】
このように、センサ部７４は、１つのマイクロ波センサ７７で人体及び手の検出を行ってもよい。また、例えば、赤外線測距センサの検知結果に対して２つの閾値を設定し、２つの距離を検知可能とすることにより、１つの赤外線測距センサで人体及び手を検出できるようにしてもよい。すなわち、センサから遠い第１距離において人体を検知し、第１距離よりもセンサに近い第２距離において手を検知してもよい。センサ部７４に用いられるセンサは、上記に限ることなく、人体及び手を検知可能な任意のセンサでよい。センサ部７４は、１つのセンサで構成してもよいし、複数のセンサで構成してもよい。
【０１２６】
図１２は、第１の実施形態に係る水栓装置の変形例を表す模式的ブロック図である。  
図１２に表したように、この例では、センサ部７４が吐出部検知センサ９４をさらに有する。吐出部検知センサ９４は、機能水吐出部６０の近傍に存在する歯ブラシなどを検知する。吐出部検知センサ９４は、例えば、ボウル部２２と機能水吐出部６０との間に差し出された歯ブラシやコップなどの対象物を検知する。吐出部検知センサ９４は、制御部７０に接続され、検知結果を制御部７０に入力する。
【０１２７】
制御部７０は、吐出部検知センサ９４による対象物の検知に応じて、電磁弁８６及び機能水生成部８８を動作させ、機能水吐出部６０から機能水を吐出させる。このように、吐出部検知センサ９４を設け、機能水吐出部６０の近傍に歯ブラシなどの対象物を差し出すだけで、自動的に機能水が吐出されるようにしてもよい。これにより、洗面化粧台１０の使い勝手をより向上させることができる。
【０１２８】
吐出部検知センサ９４は、例えば、赤外線測距センサ、焦電センサ、マイクロ波センサなど、機能水吐出部６０の近傍に存在する対象物を検知可能な任意のセンサでよい。また、例えば、１つのマイクロ波センサ７７で、人体、手、及び対象物のそれぞれを検知可能な場合には、吐出部検知センサ９４を省略してもよい。
【０１２９】
（第２の実施形態）  
図１３は、第２の実施形態に係る洗面化粧台を表す模式的ブロック図である。  
図１３に表したように、洗面化粧台１００は、上記第１の実施形態の洗面化粧台１０の各部に加えて、送風ユニット１０２と、電気即湯器１０４と、をさらに備える、なお、上記第１の実施形態と機能・構成上実質的に同じものについては、同符号を付し、詳細な説明は省略する。
【０１３０】
送風ユニット１０２は、洗面所（洗面化粧台１００が設置された空間）や洗面化粧台１００の使用者に向けて風を吹き出す。送風ユニット１０２は、例えば、洗面所の冷房機能、洗面所の暖房機能、及び使用者の髪を乾かすドライヤー機能の少なくともいずれかを有する。送風ユニット１０２は、換言すれば、洗面所の冷暖房ユニットである。送風ユニット１０２は、例えば、ミラーキャビネット１８の上に取り付けられる。送風ユニット１０２は、例えば、洗面所において洗面器１２やミラーキャビネット１８などとは別の壁面に取り付けてもよい。
【０１３１】
送風ユニット１０２は、水栓装置１４の制御部７０に接続され、制御部７０の制御に基づいて動作する。この例において、水栓装置１４は、送風操作部１１０をさらに有する。送風操作部１１０は、制御部７０に接続され、使用者の操作に応じて送風ユニット１０２の動作に関する各種の操作指示を制御部７０に入力する。
【０１３２】
制御部７０は、送風操作部１１０からの操作指示に応じて、送風ユニット１０２の動作を制御する。制御部７０は、例えば、送風操作部１１０からの操作指示に応じて、送風ユニット１０２のオン・オフ、冷房機能、暖房機能、ドライヤー機能などの各種の機能の切り替え、送風ユニット１０２から吹き出される風の強さや温度などを制御する。
【０１３３】
電気即湯器１０４は、給水源に接続され、給水源から供給された水を加熱してお湯を生成し、生成したお湯を水栓装置１４に供給する。すなわち、電気即湯器１０４は、給湯源ＨＳである。電気即湯器１０４は、電気ヒータを有し、給水源から供給された水を瞬間的に加熱して水栓装置１４に供給する。電気即湯器１０４は、例えば、支持台１６の内部に収容される。
【０１３４】
電気即湯器１０４は、制御部７０に接続され、制御部７０の制御に基づいて動作する。制御部７０は、水栓部４２から水を吐出する際に、電磁弁８０、８１を開くとともに、電気即湯器１０４を動作させる。制御部７０は、例えば、吐水操作部６３が操作された場合やセンサ部７４で手が検知された場合に、電気即湯器１０４を動作させる。これにより、所定の温度のお湯が水栓装置１４に供給される。
【０１３５】
このように、洗面化粧台１００では、水栓装置１４の制御部７０が、送風ユニット１０２及び電気即湯器１０４のコントローラとしても機能する。これにより、洗面化粧台１００の使い勝手をより向上させることができる。なお、送風ユニット１０２や電気即湯器１０４などの外部の機器と制御部７０との間の通信は、有線でもよいし、電波通信や赤外線通信などの無線通信でもよい。
【０１３６】
制御部７０は、例えば、センサ部７４による人体の検知に応じて送風ユニット１０２を動作させ、センサ部７４による人体の検知の停止に応じて送風ユニット１０２の動作を停止させてもよい。これにより、洗面化粧台１００の使い勝手をより向上させることができる。
【０１３７】
送風ユニット１０２及び電気即湯器１０４は、水栓装置１４の電源回路７２に接続されている。電源回路７２は、送風ユニット１０２及び電気即湯器１０４に電力を供給する。電源回路７２は、例えば、送風ユニット１０２及び電気即湯器１０４に直流電力を供給する。送風ユニット１０２及び電気即湯器１０４は、電源回路７２からの電力供給によって動作する。これにより、例えば、送風ユニット１０２及び電気即湯器１０４において電源回路を省略することができる。例えば、洗面化粧台１００全体における部品点数を削減することができ、洗面化粧台１００の製造コストを抑えることができる。
【０１３８】
水栓装置１４によって制御される外部の機器、及び水栓装置１４から電力が供給される外部の機器は、照明装置２０、送風ユニット１０２、及び電気即湯器１０４に限定されるものではない。例えば、上記の電気即湯器１０４を貯湯式の電気温水器などに置き換えてもよい。水栓装置１４によって制御される外部の機器は、制御部７０が制御可能な任意の機器でよい。水栓装置１４から電力が供給される外部の機器は、電源回路７２が電力を供給可能な任意の機器でよい。
【０１３９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台１０、１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１４０】
１０、１００ 洗面化粧台、  １２ 洗面器、  １４ 水栓装置、  １６ 支持台、  １８ ミラーキャビネット、  ２０ 照明装置、  ２２ ボウル部、  ２４ バックガード部、  ２６ 排水口、  ３０ キャビネット本体、  ３１〜３３ 扉、  ４０ 照明部、  ４２ 水栓部、  ４４ 流量調整部、  ４６ ケース、  ４８ ホース、  ５０ カウンター部、  ５２ 前方傾斜部、  ５４ 光拡散板、  ６０ 機能水吐出部、  ６２ 機能水照射部、  ６３ 吐水操作部、  ６４ 温度表示部、  ６５ 照明操作部、  ６６ 機能水操作部、  ６７、６８ 透過窓、  ７０ 制御部、  ７２ 電源回路、  ７４ センサ部、  ７５ 人体検知センサ、  ７６ 手検知センサ、  ７７ マイクロ波センサ、  ７８ 着脱検知センサ、  ８０、８１ 電磁弁、  ８２ 分岐金具、  ８４ 温度センサ、  ８６ 電磁弁、  ８８ 機能水生成部、  ９０、９１ 止水栓、  ９４ 吐出部検知センサ、  １０２ 送風ユニット、  １０４ 電気即湯器、  １１０ 送風操作部
【図１】
2018050795.tif 000003
【図２】
2018050795.tif 000004
【図３】
2018050795.tif 000005
【図４】
2018050795.tif 000006
【図５】
2018050795.tif 000007
【図６】
2018050795.tif 000008
【図７】
2018050795.tif 000009
【図８】
2018050795.tif 000010
【図９】
2018050795.tif 000011
【図１０】
2018050795.tif 000012
【図１１】
2018050795.tif 000013
【図１２】
2018050795.tif 000014
【図１３】
2018050795.tif 000015